(57)【要約】【課題】環境による信頼性を低下させることなく情報端末装置を安定的に使用することができる固定用スタンドを得る。【解決手段】固定用スタンドを、熱伝導部１と、放熱部２と、保持部３を備える構成とする。熱伝導部１は、情報端末装置の表示画面とは反対側の面である背面に接する位置に備えられ、弾性を有する熱伝導材で形成されている。放熱部２は、熱伝導部１と接し、熱伝導部１で伝導される熱を放熱する。保持部３は、情報端末装置の表示画面に対して上辺側の一箇所と、表示画面に対して下辺側の両端とを少なくとも含むように、弾性材を介して情報端末装置を保持する。【選択図】      図１
2018022312.tif 000002
【特許請求の範囲】
【請求項１】
情報端末装置の表示画面とは反対側の面である背面に接する位置に備えられ、弾性を有する熱伝導材で形成された熱伝導部と、
前記熱伝導部と接し、前記熱伝導部で伝導される熱を放熱する放熱部と、
前記情報端末装置の前記表示画面に対して上辺側の一箇所と、前記表示画面に対して下辺側の両端とを少なくとも含むように、弾性材を介して前記情報端末装置を保持する保持部と、
を備えることを特徴とする固定用スタンド。
【請求項２】
前記保持部は、前記情報端末装置を保持する際に、前記表示画面に対して下側の両端を、テーバー状に形成され、表面に前記弾性材を有する部材で保持する手段と、前記情報端末装置の上側を、上下に動き、前記情報端末装置側に前記弾性材を有するアームで保持する手段とを有することを特徴とする請求項１に記載の固定用スタンド。
【請求項３】
前記保持部は、前記情報端末装置の前記表示画面の少なくとも一部を、前記情報端末装置が前記表示画面側にずれないように前記弾性材を介して保持する手段をさらに有することを特徴とする請求項２に記載の固定用スタンド。
【請求項４】
前記保持部は、前記情報端末装置の前記側面をほぼ全周で覆う弾性材と、前記表示画面に対応した開口部を有し、前記情報端末装置の前記表示画面側に取り付けられるフロント部材と、前記情報端末装置の背面側に取り付けられ、前記熱伝導部と前記放熱部を有するリア部材とを備えることを特徴とする請求項１に記載の固定用スタンド。
【請求項５】
前記フロント部材と、前記リア部材は、それぞれ突起部を有し、前記フロント部材と、前記リア部材が組み合わせたときに前記突起部で前記コネクタを覆うことを特徴とする請求項４に記載の固定用スタンド。
【請求項６】
前記突起部は、前記コネクタに接続された配線を外に引き出すための溝を有することを特徴とする請求項５に記載の固定用スタンド。
【請求項７】
前記保持部に接続され、前記表示画面の方向を変える機構を有するジョイントをさらに備えることを特徴とする請求項１から６いずれかに記載の固定用スタンド。
【請求項８】
請求項１から７いずれかに記載の固定用スタンドと、
情報端末装置を備え、
前記情報端末装置は、前記固定用スタンドの前記保持部で前記固定用スタンドに固定されていることを特徴とする車載システム。
【請求項９】
弾性を有する熱伝導材で形成された熱伝導部と、前記熱伝導部と接し、前記熱伝導部で伝導される熱を放熱する放熱部を、情報端末装置の表示画面とは反対側の面である背面に前記熱伝導部が接するように取り付け、
前記情報端末装置の前記表示画面に対して上辺側の一箇所と、前記表示画面に対して下辺側の両端とを少なくとも含むように、弾性材を介して前記情報端末装置を保持することを特徴とする固定方法。
【請求項１０】
前記情報端末装置を、前記表示画面に対して下側の両端を、テーバー状に形成され、表面に前記弾性材を有する部材で保持し、
前記情報端末装置の上側を、上下に動き、前記情報端末装置側に前記弾性材を有するアームで保持することを特徴とする請求項９記載の固定方法。
【請求項１１】
前記情報端末装置の前記側面をほぼ全周で覆う弾性材と、前記表示画面に対応した開口部を有するフロント部材を、前記情報端末装置の前記表示画面側に取り付け、
前記熱伝導部と前記放熱部を有するリア部材を前記情報端末装置の背面側に取り付けることで前記情報端末装置を保持することを特徴とする請求項９に記載の固定方法。
【請求項１２】
前記フロント部材と、前記リア部材にそれぞれ突起部によって、前記情報端末装置に接続されたコネクタを覆うことを特徴とする請求項１１に記載の固定方法
【請求項１３】
前記突起部に形成された溝を介して、前記コネクタに接続された配線を外に引き出すことを特徴とする請求項１２に記載の固定方法。
【発明の詳細な説明】
【技術分野】
【０００１】
本発明は、情報端末装置を固定するスタンドに関するものであり、特に、固定される情報端末装置の信頼性を向上させる技術に関するものである。
【背景技術】
【０００２】
スマートフォン等の情報端末装置は、高性能化が進み、専用の端末装置の代わりとして幅広い用途に用いられるようになっている。例えば、スマートフォンは、自動車の車内のダッシュボード上にスタンドによって固定した状態で、ナビゲーションシステム等として用いられることがある。
【０００３】
一方で、スマートフォン等の情報端末装置は、利用者が持ち運んで利用することを想定した設計が行われていることが多い。そのため、スマートフォン等の情報端末装置では、自動車の車内のように走行時に継続的に振動が加わるような環境や、通常よりも高温になるような環境での使用は、設計上、想定されていないこともある。高温下でスマートフォン等を使用した場合には、動作の不安定な状態や停止が生じ得る。また、振動が加わるような環境に長時間置かれた場合には、情報処理装置を構成する半導体装置や表示装置などと電子基板との接続部やコネクタの不具合による故障等が生じ、信頼性が低下する可能性がある。そのため、スマートフォン等の情報端末装置を、車載で用いた場合などにおいても、使用される環境によらずに、信頼性を低下させることなく安定して使用することができる技術があることが望ましく、関連する技術の開発が行われている。そのような、使用される環境による情報端末装置の信頼性の低下を抑制する技術としては、例えば、特許文献１のような技術が開示されている。
【０００４】
特許文献１は、スマートフォン等の情報端末装置の放熱システムに関するものである。特許文献１では、情報端末装置は、放熱構造を有するホルダ等に装着された状態で固定用のアタッチメントを介して自動車のダッシュボード上に固定されている。また、情報端末装置とホルダ等の間には放熱部材が備えられている。特許文献１は、そのような放熱構造を有することで、発熱が大きいような場合であっても、情報端末装置を放熱冷却することができるので、情報端末装置を安定的に動作させることができるとしている。
【先行技術文献】
【特許文献】
【０００５】
【特許文献１】特開２０１４−２６３４１号公報
【発明の概要】
【発明が解決しようとする課題】
【０００６】
しかしながら、特許文献１の技術は次のような点で十分ではない。特許文献１の放熱システムは、情報端末装置から生じる熱を、放熱部材を介して放熱している。しかし、特許文献１では、放熱対策は施されているが、自動車が走行している際に加わる振動への対策は施されていない。そのため、特許文献１では、長時間使用した場合には、振動による不具合が生じる恐れがある。よって、特許文献１の技術は、情報端末装置を、環境による信頼性を低下させることなく安定して使用するための技術としては十分ではない。
【０００７】
本発明は、上記の課題を解決するため、環境による信頼性を低下させることなく情報端末装置を安定的に使用することができる固定用スタンドを得ることを目的としている。
【課題を解決するための手段】
【０００８】
上記の課題を解決するため、本発明の固定用スタンドは、熱伝導部と、放熱部と、保持部を備えている。熱伝導部は、情報端末装置の表示画面とは反対側の面である背面に接する位置に備えられ、弾性を有する熱伝導材で形成されている。放熱部は、熱伝導部と接し、熱伝導部で伝導される熱を放熱する。保持部は、情報端末装置の表示画面に対して上辺側の一箇所と、表示画面に対して下辺側の両端とを少なくとも含むように、弾性材を介して情報端末装置を保持する。
【０００９】
本発明の固定方法は、弾性を有する熱伝導材で形成された熱伝導部と、熱伝導部と接し、熱伝導部で伝導される熱を放熱する放熱部を、情報端末装置の表示画面とは反対側の面である背面に熱伝導部が接するように取り付ける。本発明の固定方法は、情報端末装置の表示画面に対して上辺側の一箇所と、表示画面に対して下辺側の両端とを少なくとも含むように、弾性材を介して情報端末装置を保持する。
【発明の効果】
【００１０】
本発明によると、環境による信頼性を低下させることなく情報端末装置を安定的に使用することができる。
【図面の簡単な説明】
【００１１】
【図１】本発明の第１の実施形態の構成の概要を示す図である。
【図２】本発明の第２の実施形態の固定用スタンドの正面方向の構成の概要を示す斜視図である。
【図３】本発明の第２の実施形態の固定用スタンドの背面方向の構成の概要を示す斜視図である。
【図４】本発明の第２の実施形態の固定用スタンドに取り付けられたサーマルシートを示す図である。
【図５】本発明の第２の実施形態の固定用スタンドの正面図である。
【図６】本発明の第２の実施形態の固定用スタンドの背面図である。
【図７】本発明の第２の実施形態の固定用スタンドの右側面図である。
【図８】本発明の第２の実施形態の固定用スタンドの左側面図である。
【図９】本発明の第２の実施形態の固定用スタンドの平面図である。
【図１０】本発明の第２の実施形態の固定用スタンドの底面図である。
【図１１】本発明の第２の実施形態の固定用スタンドの斜視図である。
【図１２】本発明の第２の実施形態の固定用スタンドに取り付けられたサーマルシートを示す図である。
【図１３】本発明の第２の実施形態の固定用スタンドにスマートフォンを装着した状態を示す六面図である。
【図１４】本発明の第２の実施形態の固定用スタンドに大きさの異なるスマートフォンを装着した際の状態を模式的に示す図である。
【図１５】本発明の第３の実施形態の固定用スタンドの正面方向の構成の概要を示す斜視図である。
【図１６】本発明の第３の実施形態の固定用スタンドの背面方向の構成の概要を示す斜視図である。
【図１７】本発明の第３の実施形態の固定用スタンドの正面図である。
【図１８】本発明の第３の実施形態の固定用スタンドの背面図である。
【図１９】本発明の第３の実施形態の固定用スタンドの右側面図である。
【図２０】本発明の第３の実施形態の固定用スタンドの左側面図である。
【図２１】本発明の第３の実施形態の固定用スタンドの平面図である。
【図２２】本発明の第３の実施形態の固定用スタンドの底面図である。
【図２３】本発明の第３の実施形態のフロント側部材の構成を示す図である。
【図２４】本発明の第３の実施形態のフロントカバー部材の構成を示す図である。
【図２５】本発明の第３の実施形態のフロントカバー部材の一部を拡大した図である。
【図２６】本発明の第３の実施形態のリアカバー部材の構成を示す図である。
【図２７】本発明の第３の実施形態のリアカバー部材の構成の一部を示す図である。
【図２８】本発明の第３の実施形態のリアカバー部材の構成を示す図である。
【図２９】本発明の第３の実施形態の固定用スタンドを構成する各部位を示した図である。
【図３０】本発明の第３の実施形態の固定用スタンドにスマートフォンを装着した状態を示す図である。
【発明を実施するための形態】
【００１２】
（第１の実施形態）
本発明の第１の実施形態について図を参照して詳細に説明する。図１は、本実施形態の固定用スタンドの構成の概要を示した図である。本実施形態の固定用スタンドは、熱伝導部１と、放熱部２と、保持部３を備えている。熱伝導部１は、情報端末装置の表示画面とは反対側の面である背面に接する位置に備えられ、弾性を有する熱伝導材で形成されている。放熱部２は、熱伝導部１と接し、熱伝導部１で伝導される熱を放熱する。保持部３は、情報端末装置の表示画面に対して上辺側の一箇所と、表示画面に対して下辺側の両端とを少なくとも含むように、弾性材を介して情報端末装置を保持する。
【００１３】
本実施形態の固定用スタンドは、情報端末装置の背面に接する熱伝導部１と、放熱部２によって、情報端末装置から生じる熱を効率的に放熱することができるので、周囲の温度が高い環境においても情報端末装置の温度上昇を抑制することができる。そのため、本実施形態の固定用スタンドを用いることで、周囲の温度が高い環境においても情報端末装置を安定して稼動させることができる。
【００１４】
また、本実施形態の固定用スタンドは、情報端末装置の上辺側の一箇所と、下辺側の両端とを少なくとも含むように、弾性材を介して情報端末装置を保持している。本実施形態の固定用スタンドは、情報端末装置の上辺側の一箇所と、下辺側の両端とを少なくとも含むように保持することで情報端末装置を固定しつつ、弾性材で振動や衝撃を吸収することができる。そのため、本実施形態の固定用スタンドは、振動や衝撃が加わるような環境においても情報端末装置の故障の発生を抑制し、信頼性を維持することができる。以上より、本実施形態の固定用スタンドは、環境による信頼性を低下させることなく情報端末装置を安定的に使用することができる。
【００１５】
（第２の実施形態）
本発明の第２の実施形態について図を参照して詳細に説明する。図２および図３は、本実施形態の固定用スタンドの構成の概要を示す斜視図である。図２は、本実施形態の固定用スタンドを正面方向から見た際の斜視図である。図３は、本実施形態の固定用スタンドを背面方向から見た際の斜視図である。また、図４は、固定用スタンドに取り付けられているサーマルシートを示した図である。
【００１６】
図２および図３は、本実施形態の固定用スタンドにスマートフォン１０が装着された状態を示している。また、スマートフォン１０には、ＵＳＢ（Universal Serial Bus）ケーブル１１が接続されている。本実施形態の固定用スタンドは、スマートフォン１０を、表示画面が見られる状態で固定するためのスタンドである。本実施形態の固定用スタンドでスマートフォン１０を自動車の車内のダッシュボード上などに固定することで、スマートフォン１０をナビゲーションシステム等の車載システムとして用いることが可能になる。
【００１７】
本実施形態の固定用スタンドが固定する対象は、スマートフォン１０以外であってもよい。例えば、本実施形態の固定用スタンドは、タブレット型の情報端末装置、携帯電話装置および映像表示装置などの表示機能を有する電子装置の固定に用いることができる。また、本実施形態の固定用スタンドは、車載用以外にも用いることができる。例えば、工場内など高温や振動がスマートフォン１０に加わるような環境において、各装置の操作や監視用としてスマートフォン１０を用いる場合などにも利用することができる。
【００１８】
本実施形態の固定用スタンドの構成について、詳細に説明する。図５乃至図１０は、本実施形態の固定用スタンドにスマートフォン１０を装着していない状態、すなわち、固定用スタンド単体の構成を示す六面図である。図５は、本実施形態の固定用スタンドの正面図である。図６は、本実施形態の固定用スタンドの背面図である。図７は、本実施形態固定用スタンドの右側面図である、図８は、本実施形態の固定用スタンドの左側面図である。図９は、本実施形態の固定用スタンドの平面図である。図１０は、本実施形態の固定用スタンドの底面図である。また、図１１は、本実施形態の固定用スタンド単体の斜視図である。
【００１９】
本実施形態の固定用スタンドは、ベース２０と、第１のサーマルシート２１と、アーム２２と、フレキシブルジョイント２３を備えている。また、本実施形態の固定用スタンドは、第２のサーマルシート３１と、第３のサーマルシート３２と、第４のサーマルシート３３をさらに備えている。
【００２０】
ベース２０は、スマートフォン１０を保持する構造部材としての機能と、スマートフォン１０の熱を放熱する放熱部材としての機能を有する。ベース２０は、スマートフォン１０の背面、すなわち、スマートフォン１０の表示画面であるメインディスプレイの反対側の面を保持する平面を有している。また、ベース２０は、スマートフォン１０を保持する側とは反対側の面に櫛形状に形成されて放熱部を備えている。ベース２０は、放熱部でスマートフォン１０の熱を放熱することができる。放熱部は、放熱のために表面積を大きくした構造であれば、櫛形状以外の形状であってもよい。放熱部は、アルミニウム等の金属、樹脂、セラミックまたはそれらの複合材によって形成されている。ベース２０は、放熱部を含む全体が、樹脂材料による一体成形によって形成されていてもよく、複数のパーツが組み合わされて形成されていてもよい。
【００２１】
ベース２０は、スマートフォン１０の下辺の両端を支えるテーパー部を備えている。本実施形態においてスマートフォン１０の下辺とは、スマートフォン１０を固定用スタントに装着した際に、表示画面に対して下側になる辺のことをいう。また、スマートフォン１０の上辺とは、スマートフォン１０を固定用スタントに装着した際に、表示画面に対して上側になる辺のことをいう。また、テーパー部とは、ベース２０の下辺に対して斜め方向の部分のことをいう。ベース２０は、スマートフォン１０の背面側の平面よりも前面側に形成されているテーパー部でスマートフォン１０の下辺側の両端を支える。テーパー部によってスマートフォン１０の下辺の両端を保持することで、本実施形態の固定用スタンドは、大きさの異なるスマートフォン１０を固定することができる。ベース２０のテーパー部の前面側には、スマートフォン１０が前面にずれないようにするための前面保持部が形成されている。
【００２２】
ベース２０のテーパー部のスマートフォン１０と接する面には、図４および図１１に示す通り、第３のサーマルシート３２が形成されている。また、ベース２０の前面保持部のスマートフォン１０のメインディスプレイ側と接する面には、第４のサーマルシート３３が形成されている。本実施形態のベース２０の放熱部は、第１の実施形態の放熱部２に相当する。
【００２３】
第１のサーマルシート２１は、スマートフォン１０の熱をベース２０に伝導する機能と、スマートフォン１０に加わる振動や衝撃を吸収する機能を有する。第１のサーマルシート２１は、ベース２０のスマートフォン１０の背面と接する面に形成されている。本実施形態の第１のサーマルシート２１は、本実施形態の第１のサーマルシート２１は、熱伝導部１に相当する。
【００２４】
アーム２２は、上下動によってスマートフォン１０のベース２０への固定および固定の解除を行う機能を有する。アーム２２は、上下方向にスライドする機構を有している。アーム２２は、下側に向かってスライドした際に、スマートフォン１０の上面側を保持することで、スマートフォン１０をベース２０に固定する。例えば、アーム２２は、固定用のネジを緩めた状態でスライドさせ、スマートフォン１０に接する位置でネジを締めて固定することでスマートフォン１０を保持する構成とすることができる。また、アーム２２は、バネによって下方向に押し下げる力を有するものなど、他の方式でスマートフォン１０を保持するものであってもよい。
【００２５】
本実施形態の固定用スタンドにおいて、下側とは、ベース２０に対してフレキシブルジョイント２３が備えられている側のことをいう。また、アーム２２は、上側に向かってスライドした際に、スマートフォン１０の上辺を保持しない状態となることで、スマートフォン１０をベース２０に固定した状態を解除する。アーム２２のスマートフォン１０の上辺と接する面には、第２のサーマルシート３１が形成されている。また、本実施形態のベース２０のテーパー部と、アーム２２は、第１の実施形態の保持部３に相当する。
【００２６】
フレキシブルジョイント２３は、ベース２０に結合され、ベース２０を固定する機能を有する。フレキシブルジョイント２３は、底面によって自動車のダッシュボード等に固定する機構を有する。また、フレキシブルジョイント２３は、ベース２０の向きを動かすことが可能な機構を有する。本実施形態の固定用スタンドでは、ベース２０の向きを動かすことでスマートフォン１０のメインディスプレイの方向を変えることができる。フレキシブルジョイント２３は、例えば、スマートフォン１０のメインディスプレイの向きを左右方向や仰角方向に動かすことができる。
【００２７】
図１２は、本実施形態の固定用スタンドに取り付けられている各サーマルシートを示した図である。図１２の左側は、固定用スタンドの正面方向から見た場合の各サーマルシートを示した図である。また、図１２の右側は、固定用スタンドの右側方向から見た場合の各サーマルシートを示した図である。
【００２８】
第１のサーマルシート２１、第２のサーマルシート３１、第３のサーマルシート３２および第４のサーマルシート３３は、ベース２０またはアーム２２に貼り付けられたシート状の熱伝導体である。各サーマルシートは、弾性を有するスポンジ状の樹脂材と粘着材によって構成され、粘着材でベース２０またはアーム２２に貼り付けられている。各サーマルシートの樹脂材は、例えば、熱伝導性を有するスポンジ状の樹脂によって形成されている。各サーマルシートには、弾性と熱伝導性を有する部材であれば、サーマルシート以外の部材を用いてもよい。
【００２９】
第１のサーマルシート２１は、ベース２０のスマートフォン１０と接する平面に形成されている。また、第２のサーマルシート３１は、アーム２２のスマートフォン１０の上辺側と接する面に形成されている。第３のサーマルシート３２は、ベース２０のテーパー部の表面に形成されている。すなわち、ベース２０のテーパー部では、スマートフォン１０の下辺側の両端は、第３のサーマルシート３２を介してベース２０のテーパー部で保持される。また、第４のサーマルシート３３は、ベース２０の下部のスマートフォン１０の前面側と接する位置に形成されている。
【００３０】
各サーマルシートは、スマートフォン１０と、ベース２０またはアーム２２の間の空間を埋めることでスマートフォン１０が動かない状態にする。また、各サーマルシートは、弾性を有することで、ベース２０に外部から加わる振動や衝撃を吸収し、スマートフォン１０に加わる振動の大きさを抑制する。
【００３１】
また、各サーマルシートは、スマートフォン１０から生じる熱をベース２０またはアーム２２に伝導する。スマートフォン１０から生じた熱は各サーマルシートを介してベース２０またはアーム２２に伝わり、ベース２０またはアーム２２の表面から放熱される。そのため、各サーマルシートを介してベース２０またはアーム２２の表面から放熱されることで、スマートフォン１０の温度上昇が抑制される。特に、スマートフォン１０の背面側に接する第１のサーマルシート２１は、スマートフォン１０の平面部と、放熱部を有するベース２０の平面部の間に存在するので、放熱効果が高い。
【００３２】
本実施形態の固定用スタンドを用いたスマートフォン１０の固定方法について説明する。始めに、フレキシブルジョイント２３の底面が、自動車のダッシュボード等に固定される。フレキシブルジョイント２３の底面が固定されると、スマートフォン１０がメインディスプレイ、すなわち、表示画面が見えるようにベース２０に装着される。
【００３３】
スマートフォン１０は、アーム２２が引き上げられた状態でベース２０に装着される。スマートフォン１０は、背面側、すなわち、メインディスプレイと反対側の面がベース２０の第１のサーマルシート２１と接するように装着される。スマートフォン１０がベース２０に装着されたとき、スマートフォン１０の下辺側の両端は、テーパー部に貼り付けられた第３のサーマルシート３２と接した状態となる。また、スマートフォン１０がベース２０に装着されたとき、スマートフォン１０の下側の表側の面は、前面保持部に貼り付けられた第４のサーマルシート３３と接した状態となる。
【００３４】
スマートフォン１０がベース２０に装着されると、アーム２２が引き下げられる。アーム２２は、第２のサーマルシート３１を介してスマートフォン１０の上面を押し付ける位置まで引き下げられる。アーム２２が引き下げられると、スマートフォン１０は、第１のサーマルシート２１、第２のサーマルシート３１、第３のサーマルシート３２および第４のサーマルシート３３に囲まれた状態で、ベース２０に固定される。
【００３５】
スマートフォン１０が固定スタンドに固定されると、スマートフォン１０および固定スタンドは、図１３に示すような構成となる。図１３は、本実施形態の固定スタンドにスマートフォン１０が固定されている状態を示す六面図である。図１３の（Ａ）は、固定スタンドにスマートフォン１０が固定されている状態の正面図を示している。図１３の（Ｂ）は、固定スタンドにスマートフォン１０が固定されている状態の背面図を示している。図１３の（Ｃ）は、固定スタンドにスマートフォン１０が固定されている状態の右側面図を示している。図１３の（Ｄ）は、固定スタンドにスマートフォン１０が固定されている状態の左側面図を示している。図１３の（Ｅ）は、固定スタンドにスマートフォン１０が固定されている状態の平面図を示している。図１３の（Ｆ）は、固定スタンドにスマートフォン１０が固定されている状態の底面図を示している。
【００３６】
次にスマートフォン１０から発生する熱の放熱について説明する。スマートフォン１０は、固定用スタンドに固定されているとき、最も発熱量が大きい背面側が第１のサーマルシート２１に接した状態でベース２０に固定されている。スマートフォン１０から発生した熱は、第１のサーマルシート２１を介して、櫛形状の放熱部を有するベース２０に伝わる。
【００３７】
第１のサーマルシート２１を介して熱が伝わることで、スマートフォン１０の背面側と、ベース２０の櫛形状の放熱部は、ほぼ同じ温度となる。表面積の大きい櫛形上の放熱部からは、放熱が効率的に行うことができるので、スマートフォン１０の温度上昇を抑制することができる。例えば、放熱を行わない場合に外気温度が４０℃以下でのみ動作するスマートフォン１０は、効率的に放熱を行うことで、車内温度が６０℃程度であっても動作することが可能になる。
【００３８】
スマートフォン１０は、固定用スタンドに固定されたとき、第１のサーマルシート２１、第２のサーマルシート３１、第３のサーマルシート３２および第４のサーマルシート３３に囲まれた状態で、ベース２０に固定されている。そのため、車の走行時などに長時間、継続的にスマートフォン１０に振動が加わった場合でも、各サーマルシートによって振動や衝撃が吸収されるので、スマートフォン１０に加わる振動や衝撃は、大きく低減されている。スマートフォン等は、手で持ち運ぶことを想定し、長時間、継続的に振動が加わることを設計上で想定していないこともある。しかし、各サーマルシートによって振動を吸収して、手で持ち運ぶ際と同等の振動まで低減することで、スマートフォン１０を車載で用いた場合にも、信頼性を維持し、安定して動作することが可能になる。
【００３９】
本実施形態の固定用スタンドでは、スマートフォン１０の上側をアーム２２で保持し、スマートフォン１０の下辺側の両端をベース２０のテーパー部で保持している。本実施形態の固定用スタンドは、可動式のアーム２２と、テーパー部で保持することで異なる大きさのスマートフォン１０であっても固定することができる。図１４は、本実施形態の固定用スタンドに大きさの異なるスマートフォン１０を装着した際の状態を模式的に示した図である。
【００４０】
図１４の左側は、本実施形態の固定用スタンドに対角方向の大きさが６インチのスマートフォン１０を装着した状態を示す図である。また、図１４の右側は、本実施形態の固定用スタンドに対角方向の大きさが５インチのスマートフォン１０を装着した状態を示す図である。５インチのスマートフォン１０を装着した場合に、スマートフォン１０の下側は、ベース２０のテーパー形状に沿って、６インチの場合よりも下側に位置している。また、５インチのスマートフォン１０の上側は、可動式のアーム２２によって、６インチの場合よりも下側で保持されている。このように、本実施形態のような構成の固定用スタンドを用いることで、スマートフォン１０を装着する際に、構造的な変更を加えることなく異なる大きさのスマートフォン１０を固定することができる。
【００４１】
本実施形態の固定用スタンドは、スマートフォン１０の背面側において、第１のサーマルシート２１と放熱部に２によって、スマートフォン１０のから生じる熱を効率的に放熱することができる。そのため、本実施形態の固定用スタンドは、周囲の温度が高い環境においてもスマートフォン１０の温度上昇を抑制することができる。そのため、本実施形態の固定用スタンドを用いることで、周囲の温度が高い環境においてもスマートフォン１０を安定して稼動させることができる。
【００４２】
本実施形態の固定用スタンドは、スマートフォン１０の上辺と、スマートフォン１０の下辺の両端を、アーム２２とベース２０によって弾性を有するサーマルシートを介して保持している。また、スマートフォン１０の背面側と、ベース２０の間にもサーマルシートが備えられている。そのため、本実施形態の固定用スタンドは、スマートフォン１０に加わる振動や衝撃を吸収することができるため、振動や衝撃が継続的に加わるような環境においても信頼性を低下させることなく情報端末装置を動作させることができる。
【００４３】
また、本実施形態の固定用スタンドは、アーム２２とベース２０のテーパー部でスマートフォン１０を保持するので、多様な大きさのスマートフォン１０を複雑な作業を必要とせずに固定することができる。以上より、本実施形態の固定用スタンドは、環境による信頼性を低下させることなく、多様な大きさのスマートフォン１０等の情報端末装置を安定的に使用することができる。
【００４４】
（第３の実施形態）
本発明の第３の実施形態について図を参照して詳細に説明する。図１５および図１６は、は、本実施形態の固定用スタンドの構成の概要を示した斜視図である。図１５は、本実施形態の固定用スタンドを正面方向から見た際の斜視図である。図１５は、本実施形態の固定用スタンドを背面方向から見た際の斜視図である。
【００４５】
第２の実施形態の固定用スタンドは、スマートフォン１０をアーム２２と、ベース２０のテーパー部で保持している。本実施形態の固定用スタンドは、スマートフォン１０を、スマートフォン１０の外周部で保持するとともに、スマートフォン１０に接続されているコネクタを保護する構造を有していることを特徴とする。
【００４６】
本実施形態の固定用スタンドは、フロントカバー部材４１と、リアカバー部材４２と、フレキシブルジョイント４３を備えている。本実施形態の固定用スタンドは、フロントカバー部材４１と、リアカバー部材４２が組み合わされて形成される筐体の内部にスマートフォン１０が装着される。また、固定用スタンドは、フレキシブルジョイント４３によって、自動車の車内のダッシュボード上などに固定される。筐体の内部に装着してダッシュボード上などに固定することで、利用者は、フロントカバー部材４１の開口部からスマートフォン１０の表示画面を、向きを変えながら見ることができる。また、スマートフォン１０は、第２の実施形態と同様に、他の情報端末装置であってもよい。
【００４７】
本実施形態の固定用スタンドの構成について詳細に説明する。図１７乃至図２２は、本実施形態の固定用スタンドにスマートフォン１０を装着していない状態、すなわち、固定用スタンド単体の構成を示す六面図である。図１７は、本実施形態の固定用スタンドの正面図である。図１８は、本実施形態の固定用スタンドの背面図である。図１９は、本実施形態固定用スタンドの右側面図である、図２０は、本実施形態の固定用スタンドの左側面図である。図２１は、本実施形態の固定用スタンドの平面図である。図２２は、本実施形態の固定用スタンドの底面図である。
【００４８】
始めにフロントカバー部材４１の構成について説明する。図２３は、フロントカバー部材４１を構成する各部位とスマートフォン１０を示した図である。また、図２４は、フロントカバー部材４１にスマートフォン１０が装着された際の構成を示す図である。図２３および図２４に示す通り、本実施形態のフロントカバー部材４１は、フロントカバー５１と、フロント側サーマルシート５２を備えている。
【００４９】
フロントカバー５１は、直方体の形状の中央部にスマートフォン１０の表示面を見るための開口部を有する前面カバーである。すなわち、フロントカバー５１は、正面側、すなわち、スマートフォン１０が装着された際に表示画面が見える側から見ると開口部が中央部に存在する長方形のリング状の形状を有している。また、フロントカバー５１は、スマートフォン１０に接続するＵＳＢケーブル１１のコネクタ部が入る凸部７１を有している。図２５は、フロントカバー５１の凸部７１の構成を示した図である。
【００５０】
フロントカバー５１の凸部７１は、ＵＳＢケーブル１１のコネクタ部を内部に収容する部位である。また、フロントカバー５１の凸部７１には、ＵＳＢケーブル１１のケーブル部が入る溝が形成されている。リアカバー６１の凸部７２と、フロントカバー５１の凸部７１は、互いに一致する位置に形成されている。また、リアカバー６１の凸部７２と、フロントカバー５１の凸部７１の溝の部分が重なることでＵＳＢケーブル１１を外部に引き出す穴が形成される。
【００５１】
フロント側サーマルシート５２は、中央部にスマートフォン１０を配置する穴が開けられた弾性と熱伝導性を有するスポンジ状の樹脂である。フロント側サーマルシート５２は、フロントカバー５１の内側に入る大きさに形成されている。また、フロント側サーマルシート５２は、フロントカバー５１の凸部７１に相当する位置に、ＵＳＢケーブル１１のコネクタ部が入る切り欠きを有している。フロント側サーマルシート５２は、例えば、フロントカバー５１側に形成された粘着層で、フロントカバー５１に固定されている。
【００５２】
リアカバー部材４２の構成について説明する。図２６は、リアカバー部材４２の構成の概要を示した図である。また、図２７は、リアカバー部材４２の一部を正面方向から見た場合の図である。図２６および図２７に示す通りリアカバー部材４２は、リアカバー６１と、ヒートシンク６２と、リア側サーマルシート６３を備えている。
【００５３】
リアカバー６１は、スマートフォン１０を配置することができる直方体の形状の背面カバーである。リアカバー６１は、ヒートシンク６２を取り付けるための機構を有している。例えば、リアカバー６１は、背面側にヒートシンク６２を取り付けるための長方形の開口部を有している。また、リアカバー６１は、スマートフォン１０に接続するＵＳＢケーブル１１のコネクタ部を覆う凸部７２を有している。リアカバー６１の凸部７２には、ＵＳＢケーブル１１が入る溝が形成されている。
【００５４】
ヒートシンク６２は、スマートフォン１０と接する面とは反対側の面に櫛形状の放熱部を有している。ヒートシンク６２のスマートフォント接する側の面は、平面状に形成されている。ヒートシンク６２は、リアカバー６１の中央部の背面側の開口部に入る大きさで、かつ、リアカバー６１の開口部に入れたときに動かない大きさに形成されている。図２８は、ヒートシンク６２がリアカバー６１に取り付けられているときの状態を示している。図２８に示すとおり、リアカバー６１と、ヒートシンク６２は、組み合わされた際に１つの部材としてリアカバー部材４２を構成している。リアカバー６１と、ヒートシンク６２は、一体の部材として形成されていてもよい。
【００５５】
リア側サーマルシート６３は、ヒートシンク６２のスマートフォン１０側の平面に備ええられている弾性と熱伝導性を有するシートである。リア側サーマルシート６３は、例えば、弾性と熱伝導性を有するスポンジ状の樹脂層と、粘着層の積層構造を有している。スポンジ状の樹脂層と、粘着材の積層構造の場合は、リア側サーマルシート６３は、粘着材でヒートシンク６２に貼り付けられる。リア側サーマルシート６３は、ヒートシンク６２のスマートフォン１０と接する側の平面をほぼ覆うように形成されている。
【００５６】
本実施形態のフレキシブルジョイント４３の構成と機能は、第２の実施形態のフレキシブルジョイント１３と同様である。フレキシブルジョイント４３は、リアカバー部材４２の底面に取り付けられている。フレキシブルジョイント４３を動かすことで、スマートフォン１０の表示面の方向を自由に変えることができる。
【００５７】
本実施形態の固定用スタンドを用いたスマートフォン１０の固定方法について説明する。始めに、リアカバー部材４２に接合されたフレキシブルジョイント４３の底面が、自動車のダッシュボード等に固定される。フレキシブルジョンと４３の底面が固定されると、スマートフォン１０がメインディスプレイ、すなわち、表示画面が見えるようにフロントカバー部材４１に装着される。
【００５８】
フロントカバー部材４１に装着される際に、スマートフォン１０は、ＵＳＢケーブル１１のコネクタが凸部７１の内部に配置されるように装着される。フロントカバー部材４１にスマートフォン１０が装着されると、フロントカバー部材は、リアカバー部材４２に装着される。
【００５９】
フロントカバー部材４１は、凸部７１の位置が、リアカバー部材４２の凸部７２の位置に合うように装着される。フロントカバー部材４１が装着されると、スマートフォン１０は、フロント側サーマルシート５２と、リア側サーマルシート６３に接した状態となり、位置が固定される。スマートフォン１０は、フロントカバー部材４１と、リアカバー部材４２の間に保持され、固定用スタンドに固定された状態となる。
【００６０】
上記の説明では、リアカバー部材４２に接合されたフレキシブルジョイント４３をダッシュボード等に固定した後に、スマートフォン１０を装着している。そのような、構成に代えて、フロントカバー部材４１と、リアカバー部材４２の間にスマートフォン１０を装着した後に、フレキシブルジョイント４３を接合してダッシュボードに固定されるようにしてもよい。
【００６１】
図２９は、スマートフォン１０を装着した際の、本実施形態の固定用スタンドを構成する各部位の順番を模式的に示したものである。図２９に示すとおり、前面側から順番に、フロントカバー５１、フロント側サーマルシート５２、リアカバー６１、ヒートシンク６２の順に各部位が存在する。また、ヒートシンク６２のスマートフォン１０の側には、リア側サーマルシート６３が形成されている。スマートフォン１０は、フロントカバー５１およびリアカバー６１によって構成される筐体の内部に存在する。また、ＵＳＢケーブル１１は、突起部から引き出されている。
【００６２】
また、図３０は、スマートフォン１０を装着した際の本実施形態の固定用スタンドの構成を各方向から示した図である。図３０の（Ａ）は、固定スタンドにスマートフォン１０が固定されている状態の正面図を示している。図３０の（Ｂ）は、固定スタンドにスマートフォン１０が固定されている状態の背面図を示している。図３０の（Ｃ）は、固定スタンドにスマートフォン１０が固定されている状態の右側面図を示している。図３０の（Ｄ）は、固定スタンドにスマートフォン１０が固定されている状態の平面図を示している。図３０の（Ｅ）は、固定スタンドにスマートフォン１０が固定されている状態の底面図を示している。図３０の（Ｆ）は、（Ａ）の図のｃ−ｃ'の部分の断面図を示している。図３０の（Ｇ）は、（Ａ）の図のｂ−ｂ'の部分の断面図を示している。図３０の（Ｈ）は、（Ａ）の図のａ−ａ'の部分の断面図を示している。また、図３０の（Ｉ）は、（Ｆ）の図の丸で囲われた部分の各大図を示している。
【００６３】
次にスマートフォン１０から発生する熱の放熱について説明する。スマートフォン１０は、固定用スタンドに固定されているとき、最も発熱量が大きい背面側がリア側サーマルシート６３を介してヒートシンク６２の平面側に固定されている。スマートフォン１０から発生した熱は、リア側サーマルシート６３を介して、櫛形状の放熱部を有するヒートシンク６２に伝わる。
【００６４】
リア側サーマルシート６３を介して熱が伝わることで、スマートフォン１０の背面側と、ヒートシンク６２の櫛形状の放熱部は、ほぼ同じ温度となる。表面積の大きい櫛形上の放熱部からは、放熱が効率的に行うことができるので、スマートフォン１０の温度上昇を抑制することができる。例えば、外気温度が４０℃までしか動作しないスマートフォン１０が、効率的に放熱を行うことで、車内温度が６０℃程度であっても動作することが可能になる。
【００６５】
また、スマートフォン１０は、固定用スタンドに固定されたとき、フロント側サーマルシート５２およびリア側サーマルシート６３に周囲を囲まれた状態で、フロントカバー部材４１とリアカバー部材４２の内部に固定されている。そのため、車の走行時などに長時間、継続的にスマートフォン１０に振動が加わった場合でも、フロント側サーマルシート５２およびリア側サーマルシート６３によって振動が吸収されるので、スマートフォン１０に加わる振動は、大きく低減されている。スマートフォン等は、手で持ち運ぶことを想定し、長時間、継続的に振動が加わることを設計上で想定していないこともある。本実施形態の固定用スタンドでは、フロント側サーマルシート５２およびリア側サーマルシート６３によって振動を吸収して、手で持ち運ぶ際と同等の振動まで低減することができる。そのため、本実施形態の固定用スタンドを用いることでスマートフォン１０を車載で用いた場合にも、信頼性を維持し、安定して動作することが可能になる。
【００６６】
また、スマートフォン１０が固定用スタンドに固定されているとき、コネクタは、フロントカバー部材４１の凸部７１と、リアカバー部材４２に凸部７２の内部に存在し、ＵＳＢケーブル１１のみが溝の部分から外に引き出されている。よって、ＵＳＢケーブル１１が引っ張られても、ＵＳＢケーブル１１のコネクタ部は、スマートフォン１０から外れにくい。そのため、車載した場合においても、振動でＵＳＢケーブル１１がスマートフォン１０から抜けることを防止することができる。
【００６７】
固有振動数が異なるＵＳＢケーブル１１と、スマートフォン１０は、車載時の振動で別々の方向に振動する場合がある。そのような状態が長時間続いた場合、コネクタが破損し接触不良が発生すうる恐れがある。特に、小型で強度が弱いＭｉｃｒｏ  ＵＳＢコネクタは、振動の影響を受けやすい。しかし、本実施形態では、コネクタは、フロントカバー部材４１と、リアカバー部材４２の凸部に挟み込まれているので、ＵＳＢケーブル１１とスマートフォン１０は、同一の方向、大きさで振動する。そのため、コネクタの破損は生じにくく、車載時でも信頼性を確保することができる。
【００６８】
本実施形態の固定用スタンドは、スマートフォン１０の背面側において、リア側サーマルシート６３とヒートシンク６２によって、スマートフォン１０のから生じる熱を効率的に放熱することができる。そのため、本実施形態の固定用スタンドは、周囲の温度が高い環境においてもスマートフォン１０の温度上昇を抑制することができる。そのため、本実施形態の固定用スタンドを用いることで、周囲の温度が高い環境においてもスマートフォン１０を安定して稼動させることができる。
【００６９】
本実施形態の固定用スタンドは、スマートフォン１０の周囲と、背面側にフロント側サーマルシート５２と、リア側サーマルシート６３を備えている。そのため、本実施形態の固定用スタンドは、スマートフォン１０に加わる振動や衝撃を吸収することができるため、振動や衝撃が継続的に加わるような環境においても信頼性を低下させることなく情報端末装置を動作させることができる。
【００７０】
以上より、本実施形態の固定用スタンドは、ＵＳＢケーブルの接続部分の不良や使用される環境による信頼性を低下させることなく、スマートフォン１０等の情報端末装置を安定的に使用することができる。
【００７１】
第２の実施形態および第３の実施形態では、スマートフォンにＵＳＢケーブルが接続されている例について説明したが、スマートフォンに接続されるケーブルは、ＵＳＢ以外の規格のケーブルであってもよい。また、スマートフォンは、ケーブルが接続されていない状態で固定用スタンドに固定されていてもよい。
【００７２】
第２の実施形態では、長方形上のスマートフォンの長辺側が縦方向となるようにスマートフォンを保持しているが、短辺側が縦方向となるように保持する構成であってもよい。また、スマートフォンを保持した状態で、ベースを回転してスマートフォンの表示画面を回転する機構を備えていてもよい。ベースを回転してスマートフォンの表示画面を回転する機構を備えることで、利用形態等によって表示画面の方向を変更できるため利便性が向上する。同様に、第３の実施形態では、長方形上のスマートフォンの長辺側が横方向となるようにスマートフォンを保持しているが、短辺側が横方向となるように保持する構成であってもよい。
【００７３】
第２の実施形態の固定用スタンドでは、スマートフォンが装着された状態で、下辺側と上辺側でスマートフォンの保持を行っている。そのような構成に代えて、スマートフォンが装着された状態で、左辺または右辺の上下の両端のテーパー部と、もう一方の辺の横方向に動くアームでスマートフォンを保持する構成としてもよい。
【００７４】
第２の実施形態の固定用スタンドでは、１本のアームにおいてスマートフォンの上辺側を保持していたがアームは、２本以上であってもよい。アームの数を増やすことで、スマートフォンをより安定して保持することができる。また、アームに取り付けられたスマートフォンの上辺に沿って、アームの幅よりも長い長方形の形状の部位でスマートフォンの上辺を保持する構成としてもよい。アームの幅よりも長い長方形の形状の部位でスマートフォンの上辺を保持することで、スマートフォンをより安定して保持することができる。特に、ベースを回転させることでスマートフォンの表示画面を回転することができる構成の場合は、安定して保持することができる効果が顕著になる。
【００７５】
第２の実施形態の固定用スタンドでは、スマートフォンの上辺側をアームで保持していたが、テーパー状の部材でスマートフォンの上辺側の両端を保持する構成としてもよい。すなわち、スマートフォンの４角をテーパー状の部材で保持する構成としてもよい。そのような構成とする場合には、例えば、固定用スタンドを、中央付近に上下方向にスライドするアームを備え、左右方向に伸びた梁の両端に、弾性材が下方向の表面に形成されたテーパー状の部材を備える構成とすることができる。上辺側においても両端の２箇所でスマートフォンを保持することで、スマートフォンを４角で保持することができるので、より安定的に固定用スタンドにスマートフォンを固定することができる。また、上辺側を保持するテーパー状の部材は、それぞれ独立したアームに備えられていてもよい。
【００７６】
また、上記のいずれの構成においても、固定用スタンドに固定する対象は、スマートフォン以外の情報処理装置等であってもよい。
【符号の説明】
【００７７】
１    熱伝導部
２    放熱部
３    保持部
１０    スマートフォン
２０    ベース
２１    第１のサーマルシート
２２    アーム
２３    フレキシブルジョイント
３１    第２のサーマルシート
３２    第３のサーマルシート
３３    第４のサーマルシート
４１    フロントカバー部材
４２    リアカバー部材
４３    フレキシブルジョイント
５１    フロントカバー
５２    フロント側サーマルシート
６１    リアカバー
６２    ヒートシンク
６３    リア側サーマルシート
７１    凸部
７２    凸部
【図１】
2018022312.tif 000003
【図２】
2018022312.tif 000004
【図３】
2018022312.tif 000005
【図４】
2018022312.tif 000006
【図５】
2018022312.tif 000007
【図６】
2018022312.tif 000008
【図７】
2018022312.tif 000009
【図８】
2018022312.tif 000010
【図９】
2018022312.tif 000011
【図１０】
2018022312.tif 000012
【図１１】
2018022312.tif 000013
【図１２】
2018022312.tif 000014
【図１３】
2018022312.tif 000015
【図１４】
2018022312.tif 000016
【図１５】
2018022312.tif 000017
【図１６】
2018022312.tif 000018
【図１７】
2018022312.tif 000019
【図１８】
2018022312.tif 000020
【図１９】
2018022312.tif 000021
【図２０】
2018022312.tif 000022
【図２１】
2018022312.tif 000023
【図２２】
2018022312.tif 000024
【図２３】
2018022312.tif 000025
【図２４】
2018022312.tif 000026
【図２５】
2018022312.tif 000027
【図２６】
2018022312.tif 000028
【図２７】
2018022312.tif 000029
【図２８】
2018022312.tif 000030
【図２９】
2018022312.tif 000031
【図３０】
2018022312.tif 000032